(57)【要約】【課題】  電池充電機能と直流電力供給機能とを有し、無駄な電力消費を抑制することができる充電装置を提供する。【解決手段】  充電装置（１００）は、前記充電装置と負荷装置とを接続するために用いられる第１の接続手段（１０３）と、前記充電装置と電池装置とを接続するために用いられる第２の接続手段（１０５）と、前記充電装置から前記負荷装置に供給されている電流が所定値以上であるか否かを判定する制御手段（１０６）とを有する。前記充電装置から前記負荷装置に供給されている電流が前記所定値以上であると判定された場合、前記第２の接続手段から前記電池装置に供給される充電電流の最大値は第１の充電電流に変更される。前記充電装置から前記負荷装置に供給されている電流が前記所定値よりも小さいと判定された場合、前記第２の接続手段から前記電池装置に供給される充電電流の最大値は前記第１の充電電流よりも大きい第２の充電電流に変更される。【選択図】  図１
2015012688.tif 000002
【特許請求の範囲】
【請求項１】
充電装置であって、
前記充電装置と負荷装置とを接続するために用いられる第１の接続手段と、
前記充電装置と電池装置とを接続するために用いられる第２の接続手段と、
前記充電装置から前記負荷装置に供給されている電流が第１の所定値以上であるか否かを判定する制御手段と
を有し、
前記充電装置から前記負荷装置に供給されている電流が前記第１の所定値以上であると判定された場合、前記制御手段は、前記第２の接続手段から前記電池装置に供給される充電電流の最大値を第１の充電電流に変更するための処理を行い、
前記充電装置から前記負荷装置に供給されている電流が前記第１の所定値よりも小さいと判定された場合、前記制御手段は、前記第２の接続手段から前記電池装置に供給される充電電流の最大値を前記第１の充電電流よりも大きい第２の充電電流に変更するための処理を行うことを特徴とする充電装置。
【請求項２】
前記第１の所定値は、前記第１の充電電流よりも小さいことを特徴とする請求項１に記載の充電装置。
【請求項３】
交流電力を直流電力に変換する変換手段を有し、
前記第２の充電電流は、前記変換手段から出力される電流の最大値よりも小さいことを特徴とする請求項１または２に記載の充電装置。
【請求項４】
前記第１の充電電流と、前記第１の接続手段から前記負荷装置に供給される電流の最大値との合計は、前記変換手段から出力される電流の最大値よりも小さいことを特徴とする請求項３に記載の充電装置。
【請求項５】
前記第１の接続手段から前記負荷装置に供給される電流の最大値は、前記変換手段から出力される電流の最大値よりも小さいことを特徴とする請求項３または４に記載の充電装置。
【請求項６】
前記制御手段は、前記変換手段から出力される直流電圧が第２の所定値以下であるか否かを判定し、
前記変換手段から出力される直流電圧が前記第２の所定値以下であると判定された場合、前記制御手段は、前記電池装置の充電を停止するための処理を行うことを特徴とする請求項３から５のいずれか１項に記載の充電装置。
【請求項７】
前記負荷装置は、Ｕｎｉｖｅｒｓａｌ  Ｓｅｒｉａｌ  Ｂｕｓ規格に準拠したデバイスであることを特徴とする請求項１から６のいずれか１項に記載の充電装置。
【請求項８】
充電装置と負荷装置とを接続するために用いられる第１の接続手段と、前記充電装置と電池装置とを接続するために用いられる第２の接続手段とを有する前記充電装置の制御方法であって、
前記充電装置から前記負荷装置に供給されている電流が第１の所定値以上であるか否かを判定するステップと、
前記充電装置から前記負荷装置に供給されている電流が前記第１の所定値以上であると判定された場合は、前記第２の接続手段から前記電池装置に供給される充電電流の最大値を第１の充電電流に変更するための処理を行うステップと、
前記充電装置から前記負荷装置に供給されている電流が前記第１の所定値よりも小さいと判定された場合は、前記第２の接続手段から前記電池装置に供給される充電電流の最大値を前記第１の充電電流よりも大きい第２の充電電流に変更するための処理を行うステップと
を有することを特徴とする制御方法。
【請求項９】
前記第１の所定値は、前記第１の充電電流よりも小さいことを特徴とする請求項８に記載の制御方法。
【請求項１０】
前記充電装置は、交流電力を直流電力に変換する変換手段を有し、
前記第２の充電電流は、前記変換手段から出力される電流の最大値よりも小さいことを特徴とする請求項８または９に記載の制御方法。
【請求項１１】
前記第１の充電電流と、前記第１の接続手段から前記負荷装置に供給される電流の最大値との合計は、前記変換手段から出力される電流の最大値よりも小さいことを特徴とする請求項１０に記載の制御方法。
【請求項１２】
前記第１の接続手段から前記負荷装置に供給される電流の最大値は、前記変換手段から出力される電流の最大値よりも小さいことを特徴とする請求項１０または１１に記載の制御方法。
【請求項１３】
前記変換手段から出力される直流電圧が第２の所定値以下であるか否かを判定するステップと、
前記変換手段から出力される直流電圧が前記第２の所定値以下であると判定された場合は、前記電池装置の充電を停止するための処理を行うためのステップと
を有することを特徴とする請求項１０から１２のいずれか１項に記載の制御方法。
【請求項１４】
前記負荷装置は、Ｕｎｉｖｅｒｓａｌ  Ｓｅｒｉａｌ  Ｂｕｓ規格に準拠したデバイスであることを特徴とする請求項８から１３のいずれか１項に記載の制御方法。
【請求項１５】
充電装置と負荷装置とを接続するために用いられる第１の接続手段と、前記充電装置と電池装置とを接続するために用いられる第２の接続手段とを有する前記充電装置としてコンピュータを機能させるためのプログラムであって、
前記コンピュータを、
前記充電装置から前記負荷装置に供給されている電流が第１の所定値以上であるか否かを判定する手段と、
前記充電装置から前記負荷装置に供給されている電流が前記第１の所定値以上であると判定された場合は、前記第２の接続手段から前記電池装置に供給される充電電流の最大値を第１の充電電流に変更するための処理を行う手段と、
前記充電装置から前記負荷装置に供給されている電流が前記第１の所定値よりも小さいと判定された場合は、前記第２の接続手段から前記電池装置に供給される充電電流の最大値を前記第１の充電電流よりも大きい第２の充電電流に変更するための処理を行う手段として機能させるためのプログラム。
【発明の詳細な説明】
【技術分野】
【０００１】
本発明は、電池を充電するための機能を有する充電装置、制御方法及びプログラムに関する。
【背景技術】
【０００２】
特許文献１には、電池を充電するための機能である電池充電機能と、所定の直流電力を負荷装置に供給するための機能である直流電力供給機能とを有するＤＣカプラーが記載されている。
【先行技術文献】
【特許文献】
【０００３】
【特許文献１】特開２０００−２１７２６９号公報
【発明の概要】
【発明が解決しようとする課題】
【０００４】
しかしながら、特許文献１に記載されているＤＣカプラーは、電池充電機能と直流電力供給機能とを有するものではあるが、交流電力を直流電力に変換するためのＡＣ−ＤＣ変換部を有するものではなかった。そのため、外部のＡＣ−ＤＣ変換部からＤＣカプラーに供給される電流の最大値と、ＤＣカプラーから負荷装置及び電池装置のそれぞれに供給される電流の合計とのバランスが適切ではなく、無駄な電力を消費してしまうという問題があった。
【０００５】
また、外部のＡＣ−ＤＣ変換部からＤＣカプラーに供給される電流の最大値が、ＤＣカプラーから負荷装置及び電池装置のそれぞれに供給される電流の合計よりも十分に大きい場合は、ＡＣ−ＤＣ変換部の回路規模が大きくなってしまうという問題があった。さらに、ＡＣ−ＤＣ変換部の回路規模が必要以上に大きくなってしまった場合、当該ＡＣ−ＤＣ変換部をＤＣカプラー等の充電装置に内蔵させづらいという問題があった。
【０００６】
また、特許文献１に記載されている直流電力供給機能は、ＵＳＢデバイスに直流電力を供給するものではないという問題があった。
【０００７】
そこで、本発明は、電池充電機能と直流電力供給機能とを有し、無駄な電力消費を抑制することができる充電装置を提供することを目的とする。
【課題を解決するための手段】
【０００８】
本発明に係る充電装置は、充電装置であって、前記充電装置と負荷装置とを接続するために用いられる第１の接続手段と、前記充電装置と電池装置とを接続するために用いられる第２の接続手段と、前記充電装置から前記負荷装置に供給されている電流が第１の所定値以上であるか否かを判定する制御手段とを有し、前記充電装置から前記負荷装置に供給されている電流が前記第１の所定値以上であると判定された場合、前記制御手段は、前記第２の接続手段から前記電池装置に供給される充電電流の最大値を第１の充電電流に変更するための処理を行い、前記充電装置から前記負荷装置に供給されている電流が前記第１の所定値よりも小さいと判定された場合、前記制御手段は、前記第２の接続手段から前記電池装置に供給される充電電流の最大値を前記第１の充電電流よりも大きい第２の充電電流に変更するための処理を行うことを特徴とする。
【０００９】
本発明に係る制御方法は、充電装置と負荷装置とを接続するために用いられる第１の接続手段と、前記充電装置と電池装置とを接続するために用いられる第２の接続手段とを有する前記充電装置の制御方法であって、前記充電装置から前記負荷装置に供給されている電流が第１の所定値以上であるか否かを判定するステップと、前記充電装置から前記負荷装置に供給されている電流が前記第１の所定値以上であると判定された場合は、前記第２の接続手段から前記電池装置に供給される充電電流の最大値を第１の充電電流に変更するための処理を行うステップと、前記充電装置から前記負荷装置に供給されている電流が前記第１の所定値よりも小さいと判定された場合は、前記第２の接続手段から前記電池装置に供給される充電電流の最大値を前記第１の充電電流よりも大きい第２の充電電流に変更するための処理を行うステップとを有することを特徴とする。
【００１０】
本発明に係るプログラムは、充電装置と負荷装置とを接続するために用いられる第１の接続手段と、前記充電装置と電池装置とを接続するために用いられる第２の接続手段とを有する前記充電装置としてコンピュータを機能させるためのプログラムであって、前記コンピュータを、前記充電装置から前記負荷装置に供給されている電流が第１の所定値以上であるか否かを判定する手段と、前記充電装置から前記負荷装置に供給されている電流が前記第１の所定値以上であると判定された場合は、前記第２の接続手段から前記電池装置に供給される充電電流の最大値を第１の充電電流に変更するための処理を行う手段と、前記充電装置から前記負荷装置に供給されている電流が前記第１の所定値よりも小さいと判定された場合は、前記第２の接続手段から前記電池装置に供給される充電電流の最大値を前記第１の充電電流よりも大きい第２の充電電流に変更するための処理を行う手段として機能させるためのプログラムである。
【発明の効果】
【００１１】
本発明によれば、電池充電機能と直流電力供給機能とを有し、無駄な電力消費を抑制することができる充電装置を提供することができる。
【図面の簡単な説明】
【００１２】
【図１】実施形態１における充電装置１００が有する構成要素を説明するための図である。
【図２】変換部１０２から出力されるＤＣ電圧Ｖｏと、合計電流Ｉｏｃとの関係を説明するための図である。
【図３】実施形態１における充電装置１００で行われる充電制御方法を説明するためのフローチャートである。
【発明を実施するための形態】
【００１３】
以下、図面を参照して本発明の実施形態を説明する。ただし、本発明の実施形態は以下の実施形態に限定されるものではない。
【００１４】
［実施形態１］
まず、図１を参照し、実施形態１における充電装置１００及び電池装置２００が有する構成要素を説明する。
【００１５】
図１は、実施形態１における充電装置１００が有する構成要素を説明するための図である。
【００１６】
充電装置１００は、ＡＣ入力部１０１と、変換部１０２と、第１の接続部１０３と、電流検出素子１０４と、第２の接続部１０５と、充電制御部１０６と、メモリ１０７とを有する。
【００１７】
ＡＣ入力部１０１は、外部の交流電源と接続される。外部の交流電源から供給された交流電力は、ＡＣ入力部１０１に入力される。ＡＣ入力部１０１は、交流電力を変換部１０２に供給する。
【００１８】
変換部１０２は、ＡＣ入力部１０１からの交流電力を直流電力に変換するＡＣ−ＤＣ変換部として動作する。変換部１０２から出力される直流電圧をＤＣ電圧Ｖｏと呼び、変換部１０２から出力される電流の最大値を制御電流Ｉｄと呼ぶ。
【００１９】
第１の接続部１０３は、充電装置１００と負荷装置とを接続するために用いられる接続部である。実施形態１では、負荷装置がＵＳＢデバイスである場合を説明する。ＵＳＢデバイスは、Ｕｎｉｖｅｒｓａｌ  Ｓｅｒｉａｌ  Ｂｕｓ規格に準拠したデバイスである。充電装置１００は、第１の接続部１０３に接続されている負荷装置に出力電流Ｉｏを供給できるように構成されている。これにより、充電装置１００は、第１の接続部１０３に接続されている負荷装置に対して直流電力供給機能を提供する充電装置として動作することができる。
【００２０】
電流検出素子１０４は、充電制御部１０６が出力電流Ｉｏを検出するために用いられる素子である。
【００２１】
第２の接続部１０５は、充電装置１００と電池装置２００とを接続するために用いられる接続部である。充電装置１００は、第２の接続部１０５に接続されている電池装置２００に充電電流Ｉｃを供給できるように構成されている。これにより、充電装置１００は、第２の接続部１０５に接続されている電池装置２００に対して電池充電機能を提供する充電装置として動作することができる。
【００２２】
充電制御部１０６は、充電装置１００を制御するためのＣＰＵ（Ｃｅｎｔｒａｌ  Ｐｒｏｃｅｓｓｉｎｇ  Ｕｎｉｔ）として動作する。充電制御部１０６は、電池装置２００が第２の接続部１０５に接続されているか否かを判定することができる。充電制御部１０６は、第２の接続部１０５に接続された電池装置２００が充電されるように充電装置１００を制御する。充電制御部１０６は、電池装置２００に対して定電圧充電を行うことも、電池装置２００に対して定電流充電を行うこともできる。
【００２３】
充電制御部１０６は、電流検出素子１０４の電圧を測定することができる。充電制御部１０６は、第１の接続部１０３から負荷装置に供給されている出力電流Ｉｏを電流検出素子１０４の電圧に基づいて検出する出力電流検出部として動作することができる。
【００２４】
充電装置１００で行われる充電制御方法を制御するためのプログラムは、メモリ１０７に格納されている。所定値Ｉｓ、所定値Ｖｓ及び満充電検出電流Ｉｅを示す情報も、メモリ１０７に格納されている。
【００２５】
電池装置２００は、充電装置１００によって充電される電池装置である。電池装置２００は、電池セル２０１と、温度検出素子２０２とを有する。電池セル２０１は、充電可能な電池セルである。温度検出素子２０２は、電池装置２００の温度を検出するために用いられる素子である。電池装置２００の温度は、電池装置２００の内部温度であっても、電池セル２０１の近傍の温度であってもよい。充電制御部１０６は、電池装置２００の温度を温度検出素子２０２を用いて検出する温度検出部として動作することができる。
【００２６】
実施形態１では、充電装置１００から電池装置２００に供給される充電電流Ｉｃの最大値を充電電流Ｉｃ１及び充電電流Ｉｃ１のいずれかに設定することができる。また、実施形態１では、出力電流Ｉｏと充電電流Ｉｃとの合計が制御電流Ｉｄを超えた場合、充電制御部１０６は、電池装置２００の充電を停止するように構成されている。また、実施形態１では、定電圧充電を行っている場合に充電装置１００から電池装置２００に供給されている充電電流Ｉｃが満充電検出電流Ｉｅ以下になった場合、充電制御部１０６は、電池装置２００が満充電状態であると判定するように構成されている。
【００２７】
実施形態１では、充電電流Ｉｃ１、充電電流Ｉｃ２、満充電検出電流Ｉｅ、定格出力電流Ｉｈ及び制御電流Ｉｄが以下の式（１）〜（４）を満たすように、充電装置１００を構成する。実施形態１では、第１の接続部１０３から負荷装置に供給される出力電流Ｉｏの最大値を定格出力電流Ｉｈと呼ぶ。
【００２８】
定格出力電流Ｉｈ＜制御電流Ｉｄ                            ・・・（１）
（定格出力電流Ｉｈ＋充電電流Ｉｃ１）≦制御電流Ｉｄ        ・・・（２）
充電電流Ｉｃ１＜充電電流Ｉｃ２＜制御電流Ｉｄ              ・・・（３）
満充電検出電流Ｉｅ＜充電電流Ｉｃ１＜充電電流Ｉｃ２        ・・・（４）
式（１）〜（４）を満たすように充電装置１００を構成することにより、実施形態１では、変換部１０２から出力される電流の最大値と、出力電流Ｉｏと充電電流Ｉｃとの合計とのバランスを適切に設定することができる。制御電流Ｉｄが例えば６００ｍＡであり、定格出力電流Ｉｈが例えば５００ｍＡである場合、充電電流Ｉｃ１は例えば１００ｍＡであり、充電電流Ｉｃ２は例えば５００ｍＡである。
【００２９】
次に、図２を参照し、変換部１０２から出力されるＤＣ電圧Ｖｏと、合計電流Ｉｏｃとの関係を説明する。実施形態１では、出力電流Ｉｏと充電電流Ｉｃとの合計を合計電流Ｉｏｃと呼ぶ。
【００３０】
図２に示すように、定格出力電流Ｉｈは制御電流Ｉｄよりも小さい。変換部１０２は、合計電流Ｉｏｃが制御電流Ｉｄに達するまでは、所定の範囲内でＤＣ電圧Ｖｏを調整することができるように構成されている。そして、変換部１０２は、合計電流Ｉｏｃが制御電流Ｉｄに達した後は、ＤＣ電圧Ｖｏを垂下させるように構成されている。充電制御部１０６は、ＤＣ電圧Ｖｏが所定値Ｖｓ以下になった場合に、合計電流Ｉｏｃが制御電流Ｉｄを超えたと判定することができるように構成されている。
【００３１】
次に、図１及び図３を参照し、充電装置１００で行われる充電制御方法を説明する。充電制御部１０６は、メモリ１０７に格納されているプログラムを実行することにより、この充電制御方法を制御することができる。
【００３２】
ステップＳ３０１において、充電制御部１０６は、電池装置２００が第２の接続部１０５に接続されているか否かを判定する。
【００３３】
電池装置２００が第２の接続部１０５に接続されていると判定された場合、充電制御部１０６は、ステップＳ３０１からステップＳ３０２に進む（ステップＳ３０１でＹＥＳ）。
【００３４】
電池装置２００が第２の接続部１０５に接続されていないと判定された場合、充電制御部１０６は、ステップＳ３０１を繰り返す（ステップＳ３０１でＮＯ）。
【００３５】
ステップＳ３０２において、充電制御部１０６は、第１の接続部１０３から負荷装置に供給されている出力電流Ｉｏを検出し、検出された出力電流Ｉｏと所定値Ｉｓ（第１の所定値）とを比較する。そして、充電制御部１０６は、検出された出力電流Ｉｏが所定値Ｉｓ以上（第１の所定値以上）であるか否かを判定する。所定値Ｉｓは、充電電流Ｉｃ１よりも小さい値であり、例えば９０ｍＡである。所定値Ｉｓは、メモリ１０７に格納されている。
【００３６】
ステップＳ３０２において検出された出力電流Ｉｏが所定値Ｉｓ以上であると判定された場合、充電制御部１０６は、ステップＳ３０２からステップＳ３０３に進む（ステップＳ３０２でＹＥＳ）。
【００３７】
ステップＳ３０２において検出された出力電流Ｉｏが所定値Ｉｓよりも小さいと判定された場合、充電制御部１０６は、ステップＳ３０２からステップＳ３０８に進む（ステップＳ３０２でＮＯ）。
【００３８】
ステップＳ３０３において、充電制御部１０６は、充電装置１００から電池装置２００に供給される充電電流Ｉｃの最大値を充電電流Ｉｃ１（第１の充電電流）に変更し、電池装置２００の充電を開始する。充電電流Ｉｃ１は、例えば１００ｍＡである。電池装置２００の充電を開始した後、充電制御部１０６は、ステップＳ３０４に進む。
【００３９】
ステップＳ３０４において、充電制御部１０６は、変換部１０２から出力されるＤＣ電圧Ｖｏを検出し、検出されたＤＣ電圧Ｖｏと所定値Ｖｓ（第２の所定値）とを比較する。そして、充電制御部１０６は、検出されたＤＣ電圧Ｖｏが所定値Ｖｓ以下であるか否かを判定する。所定値Ｖｓは、例えば２．７Ｖである。所定値Ｖｓは、メモリ１０７に格納されている。
【００４０】
ステップＳ３０４において検出されたＤＣ電圧Ｖｏが所定値Ｖｓ以下であると判定された場合、充電制御部１０６は、合計電流Ｉｏｃが制御電流Ｉｄを超えたと判定する。合計電流Ｉｏｃが制御電流Ｉｄを超えてしまった場合、充電装置１００は、電池充電機能と直流電力供給機能とを並列に使用することができない。そこで、充電制御部１０６は、電池充電機能の使用を停止するために、ステップＳ３０４からステップＳ３０５に進む（ステップＳ３０４でＹＥＳ）。
【００４１】
ステップＳ３０４において検出されたＤＣ電圧Ｖｏが所定値Ｖｓよりも大きいと判定された場合、合計電流Ｉｏｃが制御電流Ｉｄ以下であると判定する。この場合、充電制御部１０６は、ステップＳ３０４からステップＳ３０６に進む（ステップＳ３０４でＮＯ）。合計電流Ｉｏｃが制御電流Ｉｄを超えてしまうまでの間、充電装置１００は、電池充電機能と直流電力供給機能とを並列に使用し続けることができる。
【００４２】
ステップＳ３０５において、充電制御部１０６は、電池装置２００の充電を停止する。電池装置２００の充電を停止した後、充電制御部１０６は、ステップＳ３０１に進む。
【００４３】
ステップＳ３０６において、充電制御部１０６は、定電圧充電を行っている場合に充電装置１００から電池装置２００に供給されている充電電流Ｉｃを検出し、検出された充電電流Ｉｃと満充電検出電流Ｉｅとを比較する。そして、充電制御部１０６は、検出された充電電流Ｉｃが満充電検出電流Ｉｅ以下であるか否かを判定する。
【００４４】
ステップＳ３０６において充電電流Ｉｃが満充電検出電流Ｉｅ以下であると判定された場合、充電制御部１０６は、電池装置２００が満充電状態であると判定する。この場合、充電制御部１０６は、電池充電機能の使用を停止するために、ステップＳ３０６からステップＳ３０７に進む（ステップＳ３０６でＹＥＳ）。
【００４５】
ステップＳ３０６において充電電流Ｉｃが満充電検出電流Ｉｅよりも大きいと判定された場合、充電制御部１０６は、電池装置２００が満充電状態でないと判定する。この場合、充電制御部１０６は、ステップＳ３０６からステップＳ３０４に戻る（ステップＳ３０６でＮＯ）。そしてこの場合、電池充電機能の使用は継続される。
【００４６】
ステップＳ３０７において、充電制御部１０６は、電池装置２００の充電を停止する。
【００４７】
ステップＳ３０８において、充電制御部１０６は、充電装置１００から電池装置２００に供給される充電電流Ｉｃの最大値を充電電流Ｉｃ２（第２の充電電流）に変更し、電池装置２００の充電を開始する。充電電流Ｉｃ２は、例えば５００ｍＡである。電池装置２００の充電を開始した後、充電制御部１０６は、ステップＳ３０９に進む。
【００４８】
ステップＳ３０９において、充電制御部１０６は、変換部１０２から出力されるＤＣ電圧Ｖｏを検出し、検出されたＤＣ電圧Ｖｏと所定値Ｖｓ（第２の所定値）とを比較する。そして、充電制御部１０６は、検出されたＤＣ電圧Ｖｏが所定値Ｖｓ以下（第２の所定値以下）であるか否かを判定する。所定値Ｖｓは、例えば２．７Ｖである。所定値Ｖｓは、メモリ１０７に格納されている。
【００４９】
ステップＳ３０９において検出されたＤＣ電圧Ｖｏが所定値Ｖｓ以下であると判定された場合、充電制御部１０６は、合計電流Ｉｏｃが制御電流Ｉｄを超えたと判定する。合計電流Ｉｏｃが制御電流Ｉｄを超えてしまった場合、充電装置１００は、電池充電機能と直流電力供給機能とを並列に使用することができない。そこで、充電制御部１０６は、電池充電機能の使用を停止するために、ステップＳ３０９からステップＳ３１０に進む（ステップＳ３０９でＹＥＳ）。
【００５０】
ステップＳ３０９において検出されたＤＣ電圧Ｖｏが所定値Ｖｓよりも大きいと判定された場合、合計電流Ｉｏｃが制御電流Ｉｄ以下であると判定する。この場合、充電制御部１０６は、ステップＳ３０９からステップＳ３１１に進む（ステップＳ３０９でＮＯ）。合計電流Ｉｏｃが制御電流Ｉｄを超えてしまうまでの間、充電装置１００は、電池充電機能と直流電力供給機能とを並列に使用し続けることができる。
【００５１】
ステップＳ３１０において、充電制御部１０６は、電池装置２００の充電を停止する。電池装置２００の充電を停止した後、充電制御部１０６は、ステップＳ３０１に進む。
【００５２】
ステップＳ３１１において、充電制御部１０６は、定電圧充電を行っている場合に充電装置１００から電池装置２００に供給されている充電電流Ｉｃを検出し、検出された充電電流Ｉｃと満充電検出電流Ｉｅとを比較する。そして、充電制御部１０６は、検出された充電電流Ｉｃが満充電検出電流Ｉｅ以下であるか否かを判定する。
【００５３】
ステップＳ３１１において検出された充電電流Ｉｃが満充電検出電流Ｉｅ以下であると判定された場合、充電制御部１０６は、電池装置２００が満充電状態であると判定する。この場合、充電制御部１０６は、電池充電機能の使用を停止するために、ステップＳ３１１からステップＳ３１２に進む（ステップＳ３１１でＹＥＳ）。
【００５４】
ステップＳ３１１において検出された充電電流Ｉｃが満充電検出電流Ｉｅよりも大きいと判定された場合、充電制御部１０６は、電池装置２００が満充電状態でないと判定する。この場合、充電制御部１０６は、ステップＳ３１１からステップＳ３０９に戻る（ステップＳ３１１でＮＯ）。そしてこの場合、電池充電機能の使用は継続される。
【００５５】
ステップＳ３１２において、充電制御部１０６は、電池装置２００の充電を停止する。
【００５６】
このように、充電装置１００は、電池充電機能と直流電力供給機能とを有し、交流電力を直流電力に変換するためのＡＣ−ＤＣ変換部を有する充電装置として動作することができる。
【００５７】
また、実施形態１によれば、充電装置１００は、出力電流Ｉｏが所定値Ｉｓ以上であるか否かに基づいて充電電流Ｉｃの最大値を充電電流Ｉｃ１または充電電流Ｉｃ２に変更することができる。これにより、充電装置１００は、合計電流Ｉｏｃが制御電流Ｉｄを超えるまでの間、電池充電機能と直流電力供給機能とを並行して使用することができる。
【００５８】
また、実施形態１によれば、制御電流Ｉｄと合計電流Ｉｏｃとのバランスを適切に設定することができるので、従来に比べて無駄な電力の消費を抑えることができる。
【００５９】
また、実施形態１によれば、制御電流Ｉｄと合計電流Ｉｏｃとのバランスを適切に設定することができるので、変換部１０２の回路規模を適切な規模にすることができる。
【００６０】
また、実施形態１によれば、充電装置１００は、合計電流Ｉｏｃが制御電流Ｉｄを超えてしまった場合であっても、そのことを検出し、電池装置２００の充電を停止することができる。これにより、第１の接続部１０３に接続されている負荷装置が突然動作不能に陥ることを防ぐことができる。
【００６１】
［実施形態２］
実施形態１において説明された様々な機能、処理及び方法の少なくとも一つは、プログラムを用いて実現することができる。以下、実施形態２では、実施形態１で説明した様々な機能、処理及び方法の少なくとも一つを実現するためのプログラムを「プログラムＸ」と呼ぶ。また、実施形態２では、プログラムＸを実行するためのコンピュータを「コンピュータＹ」と呼ぶ。パーソナルコンピュータ、マイクロコンピュータ、ＣＰＵ（Ｃｅｎｔｒａｌ  Ｐｒｏｃｅｓｓｉｎｇ  Ｕｎｉｔ）などは、コンピュータＹの一例である。
【００６２】
実施形態１において説明された様々な機能、処理及び方法の少なくとも一つは、コンピュータＹがプログラムＸを実行することによって実現することができる。この場合において、プログラムＸは、コンピュータ読み取り可能な記憶媒体を介してコンピュータＹに供給される。実施形態２におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。また、実施形態２におけるコンピュータ読み取り可能な記憶媒体は、ｎｏｎ−ｔｒａｎｓｉｔｏｒｙ（非一時的）な記憶媒体である。
【符号の説明】
【００６３】
１００  充電装置
１０１  ＡＣ入力部
１０２  変換部
１０３  第１の接続部
１０４  電流検出素子
１０５  第２の接続部
１０６  充電制御部
１０７  メモリ
２００  電池装置
２０１  電池セル
２０２  温度検出素子
【図１】
2015012688.tif 000003
【図２】
2015012688.tif 000004
【図３】
2015012688.tif 000005